Podtech/llm-jp-corpus-v4-ja_patent huggingface dataset:
【誤訳訂正書】
【提出日】平成21年3月5日(2009.3.5)
【誤訳訂正１】
【訂正対象書類名】特許請求の範囲
【訂正対象項目名】全文
【訂正方法】変更
【訂正の内容】
【特許請求の範囲】
【請求項１】
対象となる患者のトモグラフィック画像を１つ以上得るための第１の撮像装置であり、前記第１の撮像装置の少なくとも一部は、前記撮像装置により画像を１つ以上形成する間に患者が軸方向に並進するのに通る第１の開口を持つ第１の撮像装置、
前記第１の撮像装置の前記第１の開口と略位置合わせされる患者を支持するための第１の患者支持構造体であり、前記第１の開口より下のローディング位置から前記第１の開口と略位置合わせされるスキャニング位置へ患者を持ち上げる第１の患者支持構造体、
前記第１の患者支持構造体から患者を受け取るための前記第１の開口に延在する第２の患者支持構造体、及び
前記第１の開口と略位置合わせされる前記第１の患者支持構造体上に支持される患者を前記第１の開口に並進させるために、前記第１の開口に向かい又は前記第１の開口から離れるほうに前記第１及び第２の患者支持構造体を実質的に移動させずに、前記第１の患者支持構造体から前記第２の患者支持構造体へ患者を並進させる患者位置決め装置
を有する医療撮像器具。
【請求項２】
前記患者位置決め装置は、前記第１の開口に向かい又は前記第１の開口から離れるほうに前記第１及び第２の患者支持構造体を実質的に移動させずに、前記第１の患者支持構造体から前記第２の患者支持構造体へ前記患者を引き寄せるアクチュエータを有する請求項１に記載の医療撮像器具。
【請求項３】
前記患者位置決め装置により前記第１の患者支持構造体から前記第２の患者支持構造体へ前記患者を並進させる前に、前記第１及び第２の患者支持構造体を垂直方向に位置合わせするためのアクチュエータを１つ以上さらに含む請求項１又は２に記載の医療撮像器具。
【請求項４】
前記患者位置決め装置は、
前記第１及び第２の患者支持構造体上に患者を支持するための患者パレット、
前記患者パレットに固定されるつなぎ綱、及び
前記第１の患者支持構造体から前記第２の患者支持構造体へ前記患者パレット及び前記患者を引き寄せるための前記つなぎ綱を引き込ませる前記第１の患者支持構造体に対し前記第１の開口の逆側に固定される駆動機構
を有する請求項１に記載の医療撮像器具。
【請求項５】
前記第２の患者支持構造体は、前記第１の開口から、前記第１の患者支持構造体から離れる方向に、少なくとも患者の身長と同じくらい大きな距離を前記第１の開口の外側に延在し、前記患者位置決め装置は、前記第２の患者支持構造体の略全長を横切って前記患者を並進させる請求項２又は４に記載の医療撮像器具。
【請求項６】
前記患者パレットは、前記つなぎ綱が前記駆動機構により引き込まれるので、前記第１及び第２の患者支持構造体に沿ってスライドする請求項４に記載の医療撮像器具。
【請求項７】
前記第１の医療撮像装置はマルチモダリティトモグラフィック撮像装置である請求項１に記載の医療撮像器具。
【請求項８】
対象となる患者を受け入れるための第１の開口を持つ第１のトモグラフィック医療撮像装置、
前記対象となる患者を受け入れるための第２の開口を持つ第２のトモグラフィック医療撮像装置、
前記第１の撮像装置の前記第１の開口と略位置合わせされる患者を支持するための第１の患者支持構造体であり、前記第１の開口より下のローディング位置から前記第１の開口と略位置合わせされるスキャニング位置へ患者を持ち上げる第１の患者支持構造体、
前記第１の患者支持構造体から患者を受け取るための前記第１及び第２の開口に延在する第２の患者支持構造体、
前記第１及び第２の撮像装置の前記第１及び第２の開口を通り並進させるために前記第１及び第２の患者支持構造体上に患者を支持するためのパレット、及び
前記第１及び第２の患者支持構造体に沿って且つ前記第１及び第２の撮像装置の前記第１及び第２の開口を通り前記パレットをスライドするための駆動機構であって、前記第１の開口に向かい又は前記第１の開口から離れるほうに前記第１及び第２の患者支持構造体を実質的に移動させずに、前記パレットをスライドする駆動機構
を有する医療撮像器具。
【請求項９】
前記第１の開口と前記第２の開口との間の距離は介護者と前記対象となる患者との間に直接のスキンシップを可能にする請求項８に記載の医療撮像器具。
【請求項１０】
前記第１の開口と前記第２の開口との間の前記距離は、介護者に前記第１の撮像装置と前記第２の撮像装置との間にいる前記対象となる患者に１つ以上の介入アプリケーションを行うことを可能にする請求項８に記載の医療撮像器具。
【請求項１１】
前記第１の開口と前記第２の開口との間の前記距離は、介護者にバイオプシー手法の少なくとも一部を前記対象となる患者に行うことを可能にする請求項１０に記載の医療撮像器具。
【請求項１２】
前記第１の撮像装置は、ＣＴ、ＭＲＩ、Ｘ線及び超音波装置からなるグループの１つを有する請求項８に記載の医療撮像器具。
【請求項１３】
前記第２の撮像装置は、ＳＰＥＣＴ及びＰＥＴ装置からなるグループの１つを有する請求項８ないし１２の何れか一項に記載の医療撮像器具。
【請求項１４】
前記第１及び第２の撮像装置の前記第１及び第２の開口の軸は、略位置合わせされている請求項８に記載の医療撮像器具。
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
以下の（１）、（２）、（６）
（１）二酸化ケイ素及び／又は二酸化ケイ素前駆体を、Ｒ１Ｒ２Ｒ３Ｒ４Ｎ＋（Ｒ１及びＲ２はメチルであり、Ｒ３及びＲ４は両方ともｎ−プロピルである）を含む少なくとも１種のテトラアルキルアンモニウム化合物、及び少なくとも１種の塩基を含む水溶液と混合すること；
（２）（１）で得られたコロイド溶液を、選択された圧力下におけるコロイド溶液の沸点より高い温度から大気圧における１８０℃までの範囲の温度に加熱して少なくとも１種の層状ケイ酸塩を含む懸濁液を得ること、
（６）（２）で得られた層状ケイ酸塩を焼成して、フレームワークケイ酸塩を得ること
を含む、少なくともケイ素及び酸素を含むフレームワークケイ酸塩の製造方法において、（２）で得られた懸濁液から分離した後に得られた少なくともケイ素及び酸素を含む層状ケイ酸塩を、（１）において結晶化補助剤として添加し、その際、（１）で得られたコロイド溶液を、（２）により、１２時間〜２６０時間の範囲の間加熱することを特徴とする方法。
【請求項２】
（１）において、層状ケイ酸塩を、二酸化ケイ素及び／又は二酸化ケイ素前駆体中に存在する二酸化ケイ素に基づいて０．１〜５質量％の量で添加することを特徴とする、請求項１記載の方法。
【請求項３】
（１）により形成された混合物を、（２）の加熱前に濃縮することを特徴とする、請求項１又は２記載の方法。
【請求項４】
Ｒ１Ｒ２Ｒ３Ｒ４Ｎ＋を含む少なくとも１種のテトラアルキルアンモニウム化合物が、塩基性アニオン、好ましくは水酸化物イオンを含有することを特徴とする、請求項１から３までのいずれか１項記載の方法。
【請求項５】
（１）で用いられる水溶液が、ジメチルジプロピル水酸化アンモニウム（ＤＭＤＰＡＨ）を含有することを特徴とする、請求項１から４までのいずれか１項記載の方法。
【請求項６】
（１）で得られたコロイド溶液が、ＳｉＯ２、ＤＭＤＰＡＨ及び水を、ＳｉＯ２：ＤＭＤＰＡＨ：水の質量比において１：（０．４〜１０）：（４〜１２）である範囲で含有することを特徴とする、請求項１から５までのいずれか１項記載の方法。
【請求項７】
（１）で得られたコロイド溶液が、ＳｉＯ２、ＤＭＤＰＡＨ及び水を、ＳｉＯ２：ＤＭＤＰＡＨ：水の質量比において１：（０．４〜２）：（４〜８）である範囲で含有することを特徴とする、請求項１から６までのいずれか１項記載の方法。
【請求項８】
（１）で得られたコロイド溶液が、ＳｉＯ２、ＤＭＤＰＡＨ及び水を、ＳｉＯ２：ＤＭＤＰＡＨ：水の質量比において１：（０．４５〜０．５５）：（８〜１２）である範囲で含有することを特徴とする、請求項１から６までのいずれか１項記載の方法。
【請求項９】
（１）により得られたコロイド溶液を、場合により請求項３に定義されたように濃縮した後で、オートクレーブ内で（２）に従い１００〜１８０℃の温度に加熱することを特徴とする、請求項１から８までのいずれか１項記載の方法。
【請求項１０】
（１）において非晶質二酸化ケイ素を使用することを特徴とする、請求項１から９までのいずれか１項記載の方法。
【請求項１１】
（１）において付加的にアルミニウム、ホウ素、鉄、チタン、スズ、ゲルマニウム、ジルコニウム、バナジウム、及び／又はニオブの原料を使用する、請求項１から１０までのいずれか１項記載の方法。
【請求項１２】
更に、
（３）（２）で得られた懸濁液から少なくとも１種の層状ケイ酸塩を分離すること
を含む、請求項１から１１までのいずれか１項記載の方法。
【請求項１３】
更に、（３）で得られた層状ケイ酸塩を
（４）洗浄すること
及び／又は
（５）乾燥させること
を含む、請求項１２記載の方法。
【請求項１４】
（４）に従い、層状ケイ酸塩を水で洗浄し、及び／又は（５）に従い、室温ないし１５０℃の範囲の温度で乾燥させる、請求項１３記載の方法。
【請求項１５】
更に、
（６）（２）で得られ、かつ
−  （３）に従い分離され、かつ
−  （４）に従い洗浄された、かつ／又は（５）に従い乾燥された、
層状ケイ酸塩を焼成して、フレームワークケイ酸塩を得ること
を含む、請求項１から１４までのいずれか１項記載の方法。
【請求項１６】
前記焼成を、３００〜６００℃の範囲の温度で実施することを特徴とする、請求項１５記載の方法。
【請求項１７】
請求項１８で定義される層状ケイ酸塩を、（１）における結晶化補助剤として使用することを特徴とする、請求項１から１６までのいずれか１項記載の方法。
【請求項１８】
少なくとも以下の反射を含む、請求項１から１４又は１７のいずれか１項記載の方法により得られる層状ケイ酸塩。
【表１】
2009511409.tif 000001
（表において、１００％は、Ｘ線回折図における最も高いピークの強度を指す）
【請求項１９】
少なくとも以下の反射を含む、請求項１５から１７までのいずれか１項記載の方法により得られるフレームワークケイ酸塩。
【表２】
2009511409.tif 000002
（表において、１００％は、Ｘ線回折図における最も高いピークの強度を指す）
【請求項２０】
請求項１９記載の少なくとも１種のフレームワークケイ酸塩を含有する成形体。
【請求項２１】
請求項１５から１７までのいずれか１項記載の方法によりフレームワークケイ酸塩を製造すること、及び
（Ｉ）請求項１９に定義されたフレームワークケイ酸塩及び少なくとも１種のバインダーを含む混合物を製造すること；
（ＩＩ）混合物を混練すること；
（ＩＩＩ）混練した混合物を成形し、少なくとも１種の成形体を得ること；
（ＩＶ）少なくとも１種の成形体を乾燥させること；
（Ｖ）少なくとも１種の乾燥した成形体を焼成すること
を含む、成形体の製造方法。
【請求項２２】
液相で、溶媒としてアルカンを用いて、好ましくは溶媒としてシクロヘキサンを用いて、請求項１９記載のフレームワークケイ酸塩又は請求項２０記載の成形体を用いて、トランス−２−オレフィン類及び１−オレフィン類、好ましくはトランス−２−ブテン及び１−ブテンを分離する方法。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
家畜に対して与えることが意図された、生物が利用可能なメチオニンの相乗的な組成物であって、
a）生物が利用可能なメチオニン化合物、および
b）少なくとも５重量％の少なくとも１の精油
を含んでなる組成物。
【請求項２】
請求項１に記載の組成物であって、
a）５〜９５重量％の生物が利用可能なメチオニン化合物、
b）５〜９５重量％の少なくとも１の精油、および
c）任意に、少なくとも１の他の化合物
を含んでなる組成物。
【請求項３】
請求項１に記載の組成物であって、
a）５〜９５重量％の生物が利用可能なメチオニン化合物、および
b）５〜９５重量％の少なくとも１の精油
からなる組成物。
【請求項４】
請求項１〜３のいずれか１項に記載の組成物であって、化合物a）は、メチオニン自体（Ｌ−メチオニンもしくはＤ，Ｌ−メチオニン）、または塩、アミド、アルキルおよびアルコールエステル、ケトン誘導体、ヒドロキシ類似体もしくはこれらの化合物の誘導体のような誘導体の１つから選択されることを特徴とする組成物。
【請求項５】
請求項１〜４のいずれか１項に記載の組成物であって、前記化合物a）は一般式（I）であることを特徴とする組成物：
【化１】
2009511429.tif 000001
ここで、式中のRは、Hまたはイソプロピル基を意味し、
R’は、-OHまたは-NH2を意味する。
【請求項６】
動物に与えることが意図された飼料を得るための、請求項１〜５のいずれか１項に記載の組成物の使用。
【請求項７】
飼料添加物を得るための、請求項１〜５のいずれか１項に記載の組成物の使用。
【請求項８】
家畜における内在性のフローラの活性を低下させるための飼料添加物を得るための、請求項７に記載の使用。
【請求項９】
成長、生存度、均一性、生産効率のような家畜の質を改善するための飼料添加物を得るための、請求項７に記載の使用。
【請求項１０】
家畜の腸内フローラの病原微生物の有害な効果と闘うための薬液を調製するための、請求項７に記載の使用。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
式Ｉ：
【化１】
2009511422.tif 000001
Ｉ
［式中、
Ａは、式：
【化２】
2009511422.tif 000002
で示される基からなる群より選ばれ；
Ｒは、Ｈ、ハロ、−ＣＯＯＨ又は−ＣＨ2ＣＯＯＨであり；
Ｒ1は、ハロ、シアノ、Ｃ1〜Ｃ4アシル、−ＣＯＯＨ、−ＮＨＲ3、Ｃ1〜Ｃ2アルキル（−ＮＨＣＨ3、−Ｎ（ＳＯ2（Ｃ1〜Ｃ3アルキル））2、−ＣＯＯＨ、−ＣＯＮＨ2、シアノ、ヒドロキシ又はテトラゾール−５−イルで置換されている）、−ＯＣＨ2ＣＯＯＨ、−ＳＣＨ2ＣＯＯＨ、−Ｃ（Ｏ）ＣＨ2ＣＨ2ＣＯＯＨ、−ＳＯ2ＮＨ2、テトラゾール−５−イル、及び１，２，４−トリアゾール−１−イルからなる群より選択される第１の置換基で場合によっては置換されており；ハロ、トリフルオロメチル、シアノ、ニトロ、Ｃ1〜Ｃ4アルコキシ、ヒドロキシ、Ｃ1〜Ｃ4アルキル、Ｃ1〜Ｃ4アルキルチオ、−ＮＨＣＨ2ＣＮ、−ＯＣＨ2ＣＮ、−ＮＨＳＯ2ＣＨ（ＣＨ3）2、及び−Ｃ（Ｏ）ＮＨＲ4からなる群より選択される第２の置換基で場合によってはさらに置換されており；ハロ及びシアノからなる群より選択される第３の置換基で場合によってはさらに置換されており；ハロからなる群より選択される第４の置換基で場合によってはさらに置換されている、フェニルであり；
Ｒ2は、Ｃ1〜Ｃ4アルキル又はジメチルアミノであり；
Ｒ3は、−ＳＯ2（Ｃ1〜Ｃ3アルキル）、Ｃ1〜Ｃ4アシル、Ｃ1〜Ｃ4アルキル、又は水素であり；
Ｒ4は、水素、Ｃ1〜Ｃ4アルキル、又は−ＳＯ2（Ｃ1〜Ｃ4アルキル）である］
で表される化合物、又はその薬理学的に許容できる塩。
【請求項２】
Ａが式：
【化３】
2009511422.tif 000003
で示される基である、請求項１記載の化合物。
【請求項３】
Ｒ2がイソプロピルである、請求項２記載の化合物。
【請求項４】
２−シアノ−４’−［３−（プロパン−２−スルホニルアミノ）チオフェン−２−イル］ビフェニル−４−カルボン酸化合物又はその薬理学的に許容できる塩。
【請求項５】
２−エトキシ−４’−［３−（プロパン−２−スルホニルアミノ）チオフェン−２−イル］ビフェニル−４−カルボン酸化合物又はその薬理学的に許容できる塩。
【請求項６】
請求項１から５のいずれか記載の化合物を、薬理学的に許容できる担体、希釈剤または賦形剤とともに含有する、医薬製剤。
【請求項７】
請求項１から５のいずれか記載の化合物の、アルツハイマー病の治療用医薬品の製造のための使用。
【請求項８】
請求項１から５のいずれか記載の化合物の、パーキンソン病の治療用医薬品の製造のための使用。
【請求項９】
医薬として用いられる、式Ｉの化合物。
【請求項１０】
式ＩＩ：
【化４】
2009511422.tif 000004
ＩＩ
［式中、
Ａは、式：
【化５】
2009511422.tif 000005
で示される基からなる群より選ばれ；
Ｒ2は、Ｃ1〜Ｃ4アルキル又はジメチルアミノであり；
Ｒ5は、Ｈ、ハロ、−ＣＯＯＲ8、又は−ＣＨ2ＣＯＯＲ8であり；
Ｒ6は、Ｈ、シアノ、Ｃ1〜Ｃ4アルコキシ、ハロ、ヒドロキシ、トリフルオロメチル、又はメチルチオであり；
Ｒ7は、−ＣＯＯＲ9、−Ｃ（Ｏ）ＣＨ2ＣＨ2ＣＯＯＲ9、−ＯＣＨ2ＣＯＯＲ9、−ＳＣＨ2ＣＯＯＲ9、又は−ＣＯＯＲ9で置換されたＣ1〜Ｃ2アルキルであり；
Ｒ8及びＲ9は、Ｒ8及びＲ9の少なくとも一方が水素以外であるという条件で、それぞれ独立して、水素及びＣ1〜Ｃ4アルキルからなる群より選択される］
で示される化合物又はその塩基付加塩。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
担体ならびに配列番号：2、3、5、6、8〜13によって示されるアミノ酸配列および少なくとも長さ51アミノ酸を含みかつフォスフォトニン(phosphotonin)活性を有するその生物学的活性断片より選択される分子の治療的有効量を含む、副甲状腺ホルモンの循環レベルを低下させるために製造される薬学的組成物。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
体重増加の抑制、肥満の予防、満腹の増大、飽食の延長、食物摂取の軽減、脂肪蓄積の軽減、総エネルギー摂取の低減、インスリン感受性の増強、肥満の処置及びインスリン不感受性の処置に使用される、食品、飼料、栄養補助食品、栄養製品、自然療法、医薬活性製剤及び医薬品の製造のための、プロバイオティクス細菌の使用であって、前記プロバイオティクス細菌が、ラクトバチルス・カゼイ（Ｌａｃｔｏｂａｃｉｌｌｕｓ  ｃａｓｅｉ）Ｆ１９（ＬＭＧ  Ｐ−１７８０６）、ラクトバチルス・アシドフィルス（Ｌａｃｔｏｂａｃｉｌｌｕｓ  ａｃｉｄｏｐｈｉｌｕｓ）ＮＣＦＢ １７４８又はビフィドバクテリウム・ラクティス（Ｂｉｆｉｄｏｂａｃｔｅｒｉｕｍ ｌａｃｔｉｓ）Ｂｂｌ２の少なくとも１つであることを特徴とする前記使用。
【請求項２】
食品、飼料、栄養補助食品、栄養製品、自然療法、医薬活性製剤及び医薬品として使用される、請求項１に記載の使用により得られる製品。
【請求項３】
ラクトバチルス・カゼイ（Ｌａｃｔｏｂａｃｉｌｌｕｓ  ｃａｓｅｉ）Ｆ１９（ＬＭＧ  Ｐ−１７８０６）、ラクトバチルス・アシドフィルス（Ｌａｃｔｏｂａｃｉｌｌｕｓ  ａｃｉｄｏｐｈｉｌｕｓ）ＮＣＦＢ １７４８及びビフィドバクテリウム・ラクティス（Ｂｉｆｉｄｏｂａｃｔｅｒｉｕｍ ｌａｃｔｉｓ）Ｂｂｌ２並びにこの組み合わせからなる群から選択されるプロバイオティクス細菌を含んでなる、ミルク、シリアルもしくはフルーツ又はその組み合わせをベースとした製品。
【請求項４】
満腹の増大、飽食の延長、食物摂取の軽減、エネルギー摂取の低減、インスリン感受性の増強及びインスリン不感受性の処置のために使用される、食品、飼料、栄養補助食品、栄養製品、自然療法、医薬活性製剤及び医薬品の製造のための、プロバイオティクス細菌の使用。
【請求項５】
肥満、腹部脂肪蓄積及び２型糖尿病を含むメタボリック・シンドローム発症の危険性を低減させるために使用される、食品、飼料、栄養補助食品、栄養製品、自然療法、医薬活性製剤及び医薬品の製造のための、プロバイオティクス細菌の使用。
【請求項６】
腹部脂肪の貯蔵を低減させるために使用される、食品、飼料、栄養補助食品、栄養製品、自然療法、医薬活性製剤及び医薬品の製造のための、プロバイオティクス細菌の使用。
【請求項７】
前記プロバイオティクス細菌が、ラクトバチルス・カゼイ（Ｌａｃｔｏｂａｃｉｌｌｕｓ  ｃａｓｅｉ）Ｆ１９（ＬＭＧ  Ｐ−１７８０６）、ラクトバチルス・アシドフィルス（Ｌａｃｔｏｂａｃｉｌｌｕｓ  ａｃｉｄｏｐｈｉｌｕｓ）ＮＣＦＢ １７４８及びビフィドバクテリウム・ラクティス（Ｂｉｆｉｄｏｂａｃｔｅｒｉｕｍ ｌａｃｔｉｓ）Ｂｂｌ２並びにこの組み合わせからなる群から選択される、請求項４〜６のいずれか１項に記載の使用。
【請求項８】
プロバイオティクス細菌であって、
i）肥満、腹部脂肪蓄積及び２型糖尿病を含むメタボリック・シンドローム発症の危険性の低減、又は
ii）腹部脂肪の貯蔵の低減、又は
iii）満腹の増大もしくは飽食の延長、又は
iv）食物摂取の軽減もしくはエネルギー摂取の低減、又は
v）Ｓｃｄ１、アディポネクチン（Ａｃｒｐ３０）、アジプシン（Ａｄｎ）、Ｔｈｒｓｐ、炭酸脱水酵素３（Ｃａｒ３）及びアポリポタンパク質Ａ−ＩＶ（Ａｐｏａ４）からなる群から選択される遺伝子の発現の下方制御、又は
vi)レジスチン様ベータ（Ｒｅｔｎｌｂ）の発現の下方制御に起因する、インスリン感受性の増強もしくはインスリン不感受性の処置、
における使用のためのプロバイオティクス細菌。
【請求項９】
ミルクをベースとした製品、シリアルをベースとした製品及びフルーツをベースとした製品からなる群から選択される製品又はそれから得られる製品における使用のための、請求項８に記載のプロバイオティクス細菌。
【請求項１０】
ラクトバチルス・カゼイＦ１９（ＬＭＧ  Ｐ−１７８０６）、ラクトバチルス・アシドフィルスＮＣＦＢ １７４８及びビフィドバクテリウム・ラクティスＢｂｌ２並びにこの組み合わせからなる群から選択される、請求項８又は９に記載のプロバイオティクス細菌。
【請求項１１】
濃縮物、例えば凍結乾燥として使用される、請求項８〜１０のいずれか１項に記載のプロバイオティクス細菌。
【請求項１２】
１×１０Ｅ８〜２．５×１０Ｅ１０の用量を含有するカプセルとして投与される、請求項８〜１１のいずれか１項に記載のプロバイオティクス細菌。
【請求項１３】
ラクトバチルス・カゼイＦ１９（ＬＭＧ  Ｐ−１７８０６）、ラクトバチルス・アシドフィルスＮＣＦＢ １７４８及びビフィドバクテリウム・ラクティスＢｂｌ２並びにこの組み合わせからなる群から選択される、体重増加の低減における使用のためのプロバイオティクス細菌。
【請求項１４】
ミルクをベースとした製品、シリアルをベースとした製品及びフルーツをベースとした製品からなる群から選択される又はそれから得られる製品において使用される、請求項１３に記載のプロバイオティクス細菌。
【請求項１５】
ラクトバチルス・カゼイＦ１９（ＬＭＧ  Ｐ−１７８０６）、ラクトバチルス・アシドフィルスＮＣＦＢ １７４８及びビフィドバクテリウム・ラクティスＢｂｌ２並びにこの組み合わせからなる群から選択されるプロバイオティクス細菌を含んでなるカプセル。
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
ＧＤＦ−１１と結合するよりも少なくとも約5倍強くミオスタチンと選択的に結合し、約１×１０−９Ｍ以下の親和性でミオスタチンと特異的に結合する、ヒト化または完全ヒトモノクローナル抗体であって、
a)  ANYCSGECEFVFLQKYPHTHLVHQA (配列番号53)、
b)  CSGESEFVFLQKYPH (配列番号62)、および
c)  GECEFVFLQKYPHTH (配列番号92)
からなる群から選ばれるアミノ酸配列からなるポリペプチドと結合する抗体。
【請求項２】
ＧＤＦ−１１と結合するよりも少なくとも約5倍強くミオスタチンと選択的に結合し、約１×１０−９Ｍ以下の親和性でミオスタチンと特異的に結合する、配列番号92で示されるアミノ酸配列を有するポリペプチドと結合するヒト化または完全ヒトモノクローナル抗体。
【請求項３】
該抗体が、ＧＤＦ−１１と結合するよりも少なくとも約２０倍強くミオスタチンと選択的に結合する、請求項１または２記載の抗体。
【請求項４】
該抗体が、約１×１０−１０Ｍ以下の親和性でミオスタチンと結合する、請求項１〜3のいずれかに記載の抗体。
【請求項５】
本明細書の実施例６に記載のｉｎ  ｖｉｔｒｏミオスタチン／ＳＢＥ分析において約２５ｎＭまたはそれ以下のＩＣ５０を示し、 ＧＤＦ−１１の中和活性を有さない、請求項１〜４のいずれかに記載の抗体。
【請求項６】
ミオスタチンがヒトミオスタチンであり、ＧＤＦ−１１がヒトＧＤＦ−１１である請求項１〜５のいずれかに記載の抗体。
【請求項７】
ＨＣＶＲ及びＬＣＶＲを含んでなり、該ＨＣＶＲが、
ａ）配列番号５９に示すＣＤＲＨ１配列を有するペプチド、
ｂ）配列番号６０に示すＣＤＲＨ２配列を有するペプチド、及び
ｃ）配列番号６１に示すＣＤＲＨ３配列を有するペプチドを含んでなり、
該ＬＣＶＲが、
ａ）配列番号５７に示すＣＤＲＬ１配列を有するペプチド、
ｂ）配列番号３０に示すＣＤＲＬ２配列を有するペプチド、及び
ｃ）配列番号５８に示すＣＤＲＬ３配列を有するペプチド
を含んでなるヒト化または完全ヒトモノクローナル抗体。
【請求項８】
ＨＣＶＲ及びＬＣＶＲを含んでなり、該ＨＣＶＲが、
ａ）配列番号３７に示すＣＤＲＨ１配列を有するペプチド、
ｂ）配列番号４３に示すＣＤＲＨ２配列を有するペプチド、及び
ｃ）配列番号４８に示すＣＤＲＨ３配列を有するペプチドを含んでなり、
該ＬＣＶＲが、
ａ）配列番号２７に示すＣＤＲＬ１配列を有するペプチド、
ｂ）配列番号３０に示すＣＤＲＬ２配列を有するペプチド、及び
ｃ）配列番号３１に示すＣＤＲＬ３配列を有するペプチド
を含んでなるヒト化または完全ヒトモノクローナル抗体。
【請求項９】
ＨＣＶＲ及びＬＣＶＲを含んでなり、該ＨＣＶＲが、
ａ）配列番号３６に示すＣＤＲＨ１配列を有するペプチド、
ｂ）配列番号４５に示すＣＤＲＨ２配列を有するペプチド、及び
ｃ）配列番号５１に示すＣＤＲＨ３配列を有するペプチドを含んでなり、
該ＬＣＶＲが、
ａ）配列番号２７に示すＣＤＲＬ１配列を有するペプチド、
ｂ）配列番号３０に示すＣＤＲＬ２配列を有するペプチド、及び
ｃ）配列番号３３に示すＣＤＲＬ３配列を有するペプチド
を含んでなるヒト化または完全ヒトモノクローナル抗体。
【請求項１０】
ヒトＧＤＦ−１１と結合するよりも少なくとも約5倍強くヒトミオスタチンと選択的に結合し、約１×１０−９Ｍ以下の親和性でヒトミオスタチンと特異的に結合する、配列番号92で示されるアミノ酸配列を有するポリペプチドと結合する請求項７〜９のいずれかに記載の抗体。
【請求項１１】
ヒトのフレームワーク領域を更に含んでなる、請求項７〜１０のいずれかに記載の抗体。
【請求項１２】
完全長抗体、実質的に完全な抗体、Ｆａｂ断片、Ｆ（ａｂ’）２断片、または一本鎖Ｆｖ断片である請求項１〜１１のいずれかに記載の抗体。
【請求項１３】
請求項１〜１２のいずれかに記載の抗体を含む医薬組成物。
【請求項１４】
さらに医薬的に許容される担体を含む請求項１３に記載の医薬組成物。
【請求項１５】
医薬として用いるための請求項１〜１２のいずれかに記載の抗体。
【請求項１６】
筋肉重量を増加させるか又は骨密度を増加させることが必要な患者の筋肉重量を増加させるか又は骨密度を増加させるための医薬の製造における有効量の請求項１〜１２のいずれかに記載の抗体の使用。
【請求項１７】
虚弱、悪液質、筋肉萎縮、筋肉虚弱、筋疾患、筋ジストロフィー、骨粗鬆症、ＣＯＰＤ、腎不全又は腎疾患、肝不全又は肝疾患、ＩＩ型糖尿病又はメタボリックシンドロームから選択される１またはそれ以上の病状を治療または予防するための医薬の製造における有効量の請求項１〜１２のいずれかに記載の抗体の使用。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
イオン類で多置換されたヒドロキシアパタイトであって、前記ヒドロキシアパタイトは、効果的な量のケイ酸および／またはＳｒ２＋イオンを含み、さらに炭酸、Ｍｇ２＋およびそれらの混合物から選択される少なくとも一つのイオン類を含むヒドロキシアパタイト。
【請求項２】
ヒドロキシアパタイトのリン酸イオンに対するケイ酸イオンのモル比が０．００１から０．２５で、パーセントモル比ＳｉＯ４／ＰＯ４にして０．１％から２５％に相当し、
ヒドロキシアパタイトのＣａ２＋イオンに対するＳｒ２＋のモル比が０．００２から０．３５で、パーセントモル比Ｓｒ／Ｃａにして０．２％から３５％に相当する請求項１に記載のヒドロキシアパタイト。
【請求項３】
ケイ酸のリン酸イオンに対する前記比が０．００５から０．２０で、パーセントモル比ＳｉＯ４／ＰＯ４にして０．５％から２０％に相当し、さらに好ましくは、ケイ酸のリン酸イオンに対する前記比は０．０１から０．１０で、パーセントモル比ＳｉＯ４／ＰＯ４にして１％から１０％に相当する請求項２に記載の前記ヒドロキシアパタイト。
【請求項４】
Ｓｒ２＋のＣａ２＋に対する前記比が、０．０２から０．３０であり、パーセントモル比Ｓｒ／Ｃａにして２％から３０％に相当し、さらに好ましくはＳｒ２＋のＣａ２＋イオンに対する前記比は、０．０３から０．２５で、パーセントモル比Ｓｒ／Ｃａにして３％から２５％に相当する請求項２に記載の前記ヒドロキシアパタイト。
【請求項５】
少なくとも一つの追加の前記イオン類が炭酸イオンであって、前記炭酸イオンは、ヒドロキシアパタイトのリン酸イオンに対する炭酸イオンのモル比が０．０１から０．８０で存在し、パーセントモル比ＣａＣＯ３／ＰＯ４にして１％から８０％に相当し、好ましくは０．０５から０．３０で、パーセントモル比にして５％から３０％に相当する請求項１から４のいずれかに記載の前記ヒドロキシアパタイト。
【請求項６】
少なくとも一つの追加の前記イオン類がＭｇ２＋であって、前記Ｍｇ２＋は、ヒドロキシアパタイトのＣａ２＋に対するＭｇ２＋のモル比で０．０１から０．３０で存在し、パーセントモル比Ｍｇ／Ｃａにして１％から３０％に相当し、好ましくは、モル比は０．０３から０．２０で、パーセントモル比にして３％から２０％に相当する請求項１から４のいずれかに記載の前記ヒドロキシアパタイト。
【請求項７】
炭酸イオンとＭｇ２＋イオンの混合物を含み、前記炭酸およびＭｇ２＋イオンは請求項５と６に記載の前記モル比で存在する請求項１から６のいずれかに記載のヒドロキシアパタイト。
【請求項８】
請求項１から７のいずれかに記載の前記ヒドロキシアパタイトであって、
ケイ酸、Ｓｒ２＋、炭酸；もしくは、
ケイ酸、Ｓｒ２＋、Ｍｇ２＋；もしくは
ケイ酸、炭酸、Ｍｇ２＋；もしくは
Ｓｒ２＋、炭酸、Ｍｇ２＋；の置換イオンを含み、
前記イオンは、請求項２から６に記載のモル比と同じモル比で存在するヒドロキシアパタイト。
【請求項９】
置換イオンであるケイ酸、Ｓｒ２＋、炭酸、Ｍｇ２＋を含み、前記イオンは請求項２から６に記載のモル比と同じモル比で存在し、好ましくは；
ケイ酸イオンは、モル比ＳｉＯ４／ＰＯ４が０．０１から０．１０で存在し、
Ｓｒ２＋イオンは、モル比Ｓｒ／Ｃａが０．０３から０．２５で存在し、
炭酸イオンは、モル比ＣＯ３／ＰＯ４が０．０５から０．３０で存在し、
Ｍｇ２＋イオンは、モル比Ｍｇ／Ｃａが０．０３から０．２０で存在する請求項１から７のいずれかに記載の前記ヒドロキシアパタイト。
【請求項１０】
前記ヒドロキシアパタイトは、ゼラチン、アルブミン、アルジネート、ジェランガム、デンプン、キトサン、セルロース、コラーゲン、ポリラクチック酸から選択される天然もしくは合成ポリマーを効果的な量さらに含有し、好ましくは前記ポリマーはコラーゲンである請求項１から９のいずれかに記載の前記ヒドロキシアパタイト。
【請求項１１】
請求項１から１０のいずれかに記載の多置換されたヒドロキシアパタイトを生成する方法であって、Ｈ３ＰＯ４の水溶液ｂ）を添加することによりケイ酸および／またはＳｒ２＋イオンを含有するＣａ（ＯＨ）２の塩基性懸濁液ａ）の中和反応を含み、前記中和反応において、
ｉ）前記懸濁液ａ）は、効果的な量のＭｇ２＋イオンをさらに含み；および／または
ｉｉ）前記水溶液ｂ）の添加は、炭酸水素イオンの水溶液の添加と同時に行われる方法。
【請求項１２】
前記水溶液ｂ）は、ゼラチン、アルブミン、アルジネート、ジェランガム、デンプン、キトサン、セルロース、コラーゲン、ポリラクッチ酸から選択される天然もしくは合成ポリマーを効果的な量含有する請求項１１に記載の方法。
【請求項１３】
前記懸濁液ａ）は、合成生理液であるＳＢＦを効果的な量さらに含む請求項１１もしくは１２に記載の方法。
【請求項１４】
代用骨を生成するための請求項１から１０のいずれかに記載のヒドロキシアパタイトの使用。
【請求項１５】
請求項１から１０のいずれかに記載のヒドロキシアパタイトを有する代用骨。
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
純度Ｐ２のチタン複塩の沈殿物及び純度Ｐ３のチタン溶液の形成による、純度Ｐ１のチタン供給原料ストリームの工業的精製方法であって、ここでＰ２＞Ｐ１＞Ｐ３であり、当該方法が、
ｉ．該供給原料から、水、チタンイオン、並びにアンモニウム、アルカリ金属のカチオン、プロトン及びそれらの組み合わせからなる群から選択されるカチオン、並びにＯＨ、ＳＯ４、ＨＳＯ４、ハロゲン化物及びそれらの組み合わせからなる群から選択されるアニオンを含む中間物を形成する工程を含み、該形成された中間物が、更に、（ａ）チタンイオン、該カチオンの少なくとも一つ及び該アニオンの少なくとも一つを含む複塩沈殿物；及び（ｂ）チタン溶液の存在により特徴付けられ；およびここで、該チタン溶液中の該アニオンの濃度が１５％よりも高く、且つ該チタン溶液中の該カチオンの濃度と該アニオンの濃度との間の比が０．２より高く１．６より低く；
ｉｉ．該溶液から該沈殿物の少なくとも一部を分離する工程、および任意で
ｉｉｉ．該沈殿物を処理して、酸化チタン、チタン金属、他のチタン製品およびそれらの組み合わせからなる群から選択される製品を製造する工程を含む、
前記方法。
【請求項２】
前記チタン供給原料ストリームが、酸溶液でチタン鉱石を浸出した生成物；廃棄物溶液；工業的プロセスからの副生成物ストリームを含む溶液；およびプロトン並びにハロゲン化物、硫酸塩、重硫酸塩、硝酸塩及びそれらの組み合わせからなる群から選択される少なくとも一つのアニオンを含む溶液からなる群から選択される、請求項１記載の方法。
【請求項３】
Ｐ１が５０％より低い、請求項１記載の方法。
【請求項４】
Ｐ１が７０％より小さいか、Ｐ２が９５％より大きいか、またはその両方である、請求項１記載の方法。
【請求項５】
チタン供給原料ストリームが少なくとも０．２５のＦｅ／Ｔｉモル比で鉄を含み、かつ、前記チタン複塩沈殿物中の該比が０．０２よりも小さい、請求項１記載の方法。
【請求項６】
前記チタン供給原料ストリームが鉄を含み、該供給原料ストリームが、少なくとも２重量％の鉄カチオンを含む溶液、該供給原料ストリーム中のＦｅ／Ｔｉモル比が約０．２：１と約３：１との間の範囲内にある溶液、およびそれらの組み合わせからなる群から選択される、請求項１記載の方法。
【請求項７】
前記複塩沈殿物中のＦｅ／Ｔｉモル比が、前記供給原料ストリーム中のＦｅ／Ｔｉモル比よりも少なくとも５倍小さい、請求項６記載の方法。
【請求項８】
前記沈殿物が、前記供給原料ストリーム中に元々存在するチタンの少なくとも８０％を含有する、請求項１記載の方法。
【請求項９】
比Ｐ２／Ｐ３が１０より大きい、請求項１記載の方法。
【請求項１０】
前記形成された中間物の温度が２０−４０℃の間の範囲内にある、請求項１記載の方法。
【請求項１１】
ａ．前記分離された沈殿物を洗浄して、Ｐ４の純度を有する洗浄された沈殿物及びＰ５の純度を有する洗浄溶液を形成する工程であって、ここでＰ４＞Ｐ２＞Ｐ５である、工程；および
ｂ．任意で前以て洗浄した前記沈殿物を再結晶化して、Ｐ６の純度を有する沈殿物及び純度Ｐ７を有する母液を形成する工程であって、ここでＰ６＞Ｐ２＞Ｐ７である、工程
の少なくとも１つをさらに含む、請求項１記載の方法。
【請求項１２】
ａ．水性溶液中へのチタン複塩の溶解の工程；及び
ｂ．希釈、温度上昇、ｐＨの増加及びそれらの組み合わせからなる群から選択される作用によって、該溶液からの酸化チタンの沈殿を引き起こす工程
をさらに含む、請求項１記載の方法。
【請求項１３】
前記酸化チタンが、５−１００ナノメートルの中間サイズ範囲内にあるナノ粒子、または１００−３００ナノメートルの中間サイズ範囲内にあるナノ粒子を含む、請求項２記載の方法。
【請求項１４】
前記酸化チタンが、前記チタン供給原料ストリーム溶液中に存在していたチタンの少なくとも７０％を含有する、請求項２記載の方法。
【請求項１５】
前記チタン溶液を処理して、鉄金属、酸化鉄、鉄複塩、水酸化鉄、他の鉄製品、前記チタン供給原料溶液中に存在する他の多価カチオンの製品及びそれらの組み合わせからなる群から選択される製品を形成する工程をさらに含み、該処理が結晶化を含む、請求項１記載の方法。
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
（ｉ）二次的栄養素又は微量栄養素；（ii）安息香酸又はその生物学的に許容される誘導体若しくは塩；及び（iii）式（Ｉ）：
【化１】
2009511412.tif 000001
（式中、Ｒ1はＣ1-10アルキル基、又はＣ2-10アルケニル基であり、そしてＭは原子価ｎのカチオンである）の水溶性塩を含む農業用組成物であって、ここで二次的栄養素はカルシウム、マグネシウム、ナトリウム、塩素又はイオウであり、そして微量栄養素は銅、コバルト、鉄、マンガン、ホウ素、モリブデン、亜鉛、ケイ素又はニッケルである、上記組成物。 
【請求項２】
二次的栄養素がカルシウム又はマグネシウムであり、そして微量栄養素が銅、鉄、マンガン又は亜鉛である、請求項１に記載の組成物。
【請求項３】
二次的栄養素又は微量栄養素が銅、鉄、マグネシウム又は亜鉛の組み合わせである、請求項１又は２に記載の組成物。
【請求項４】
二次的栄養素又は微量栄養素が水溶性塩の形態で存在する、請求項１〜３のいずれか１項に記載の組成物。
【請求項５】
水溶性塩が硝酸塩、酸化物、硫酸塩又は塩化物である、請求項４に記載の組成物。
【請求項６】
存在する全ての二次的栄養素又は微量栄養素の合計濃度が０.０１〜４０％ｗ／ｗの濃
度範囲である、請求項１〜５のいずれか１項に記載の組成物。
【請求項７】
二次的栄養素又は微量栄養素がキレート剤と組み合わされて存在する、請求項１〜６のいずれか１項に記載の組成物。
【請求項８】
キレート剤が、リグナン及びリグニン酸（リグノス）、クエン酸、フミン酸又はアミノ酸のうちの１種又はそれ以上を含む、請求項１〜７のいずれか１項に記載の組成物。
【請求項９】
安息香酸又は誘導体が安息香酸又は一、二若しくは三置換安息香酸であり、ここで置換基が、同じか又は異なっていてもよく、ハロ、アルキル、アルコキシ及びヒドロキシから選ばれる、請求項１〜８のいずれか１項に記載の組成物。
【請求項１０】
安息香酸又は誘導体が式（Ｖ）の化合物：
【化２】
2009511412.tif 000002
［式中、Ｒ4は基ＯＲ7、ＳＲ7又はＮＲ7Ｒ8（ここで、Ｒ7及びＲ8はそれぞれ独立して水素又はヒドロカルビルから選ばれる）であり、そしてＲ5及びＲ6はそれぞれ独立して水素、ヒドロキカルビル基又は官能基から選ばれるか、又はＲ5及びＲ6はそれらが結合する炭素原子と一緒に、酸素、窒素又はイオウから選ばれる１種又はそれ以上のヘテロ原子を含んでもよい縮合環系を形成する］である、請求項１〜９のいずれか１項に記載の組成物。
【請求項１１】
安息香酸又はその誘導体若しくは塩が安息香酸、安息香酸ナトリウム、サリチル酸（１−ヒドロキシ安息香酸）、アセチルサリチル酸（又は２−アセトキシ安息香酸）、サリチル酸メチル、又はアシベンゾラー−Ｓ−メチルである、請求項１〜１０のいずれか１項に記載の組成物。
【請求項１２】
安息香酸又は誘導体又は塩が０.００１〜１.００％ｗ／ｗの濃度範囲で存在する、請求項１〜１１のいずれか１項に記載の組成物。
【請求項１３】
Ｒ1がペンチル基である式（Ｉ）の化合物において、式（Ｉ）の化合物をジヒドロジャスモン酸塩にするか、又はＲ1がペンタ−２−エニル基であって、式（Ｉ）の化合物がジャスモン酸塩である、請求項１〜１２のいずれか１項に記載の組成物。
【請求項１４】
式（Ｉ）の化合物の塩が０.００１〜１.０００％ｗ／ｗの濃度範囲で存在する、請求項１〜１３のいずれか１項に記載の組成物。
【請求項１５】
更に酸化防止剤を含む、請求項１〜１４のいずれか１項に記載の組成物。
【請求項１６】
下記の農業上許容される成分：水、追加の栄養材料、カフェイン群の１員、植物油、エ
ッセンシャルオイル、代謝刺激剤、担体若しくは賦形剤、乳化剤、増粘剤、懸濁剤、固化防止剤、分散剤、又は湿展剤；の１種又はそれ以上を更に含む、請求項１〜１５のいずれか１項に記載の組成物。
【請求項１７】
請求項１〜１６のいずれか１項に記載の組成物、及び該組成物を分散又は溶解し得る媒体を含む、植物又は植物の周囲に施与するための製剤。
【請求項１８】
媒体が溶媒であり、その溶媒が水である、請求項１７に記載の製剤。
【請求項１９】
植物に二次的栄養素又は微量栄養素を供給するための、植物による二次的栄養素又は微量栄養素の摂取を向上させるための、二次的栄養素又は微量栄養素の不足に関連した生理的障害を減少させるための、局部的な二次的栄養素又は微量栄養素の不足の領域に起きる植物の病気又は感染を予防又は軽減するための、長期の又は一時的なストレスの条件の間の成長習性を改善するための、又は植物における二次的栄養素又は微量栄養素の欠乏を防止するための方法であって、請求項１〜１６のいずれか１項に記載の組成物、又は請求項１７若しくは１８に記載の製剤を施用することを含む上記の方法。
【請求項２０】
請求項１〜１６のいずれか１項に記載の組成物又は請求項１７若しくは１８に記載の製剤の、作物に施与するための肥料としての使用。
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
以下を含むことを特徴とする、C型肝炎の予防および治療のための免疫刺激物質の組合せ：
a)TLR3 アゴニストとして作用するポリ(I:C)、
b)CD40 アゴニストまたはそれをコードするDNA配列、および
c)C型肝炎ウイルスのNS3 タンパク質またはCD8+およびCD4+ 応答の誘導能を有する該NS3 タンパク質のフラグメントを含むポリペプチド。
【請求項２】
CD40 アゴニストが抗CD40抗体、CD40LおよびCD40に対する結合能が保存されたそれらのフラグメントから選択されることを特徴とする、請求項１の免疫刺激物質の組合せ。
【請求項３】
CD40 アゴニストが抗CD40抗体であることを特徴とする、請求項２の免疫刺激物質の組合せ。
【請求項４】
以下を含むことを特徴とする、請求項１の免疫刺激物質の組合せ：
a)ポリ(I:C)、
b)抗CD40抗体、および
c)NS3 タンパク質を含むポリペプチド。
【請求項５】
NS3 タンパク質を含むポリペプチドが配列番号１のポリペプチドであることを特徴とする、請求項３または４の免疫刺激物質の組合せ。
【請求項６】
全ての成分が単一の医薬組成物の一部を形成することを特徴とする、請求項１〜５のいずれかの免疫刺激物質の組合せ。
【請求項７】
全ての成分が少なくとも２つの異なる医薬組成物の一部を形成することを特徴とする、請求項１〜５のいずれかの免疫刺激物質の組合せ。
【請求項８】
C型肝炎の予防および治療のための医薬の製造における、請求項１〜７のいずれかの免疫刺激物質の組合せの使用。
【請求項９】
C型肝炎の治療のための医薬の製造における、請求項１〜７のいずれかの免疫刺激物質の組合せの使用。
【請求項１０】
該医薬が同時投与に適する少なくとも２つの医薬組成物を含むことを特徴とする、請求項８または９の免疫刺激物質の組合せの使用。
【請求項１１】
該医薬が別々の投与に適する少なくとも２つの医薬組成物を含むことを特徴とする、請求項８または９の免疫刺激物質の組合せの使用。
【請求項１２】
該医薬組成物が異なる投与経路による別々の投与に適することを特徴とする、請求項１１の免疫刺激物質の組合せの使用。
【請求項１３】
各成分が医薬上許容される量にて存在することを特徴とする、請求項１〜５のいずれかの免疫刺激物質の組合せを含む医薬組成物。
【請求項１４】
請求項１〜７のいずれかの免疫刺激物質の組合せを免疫応答の誘導に有効な量にて含むことを特徴とする、C型肝炎ウイルスに対する免疫応答を生じさせるための医薬組成物。
【請求項１５】
予防的処置に使用されることを特徴とする、請求項１４の医薬組成物。
【請求項１６】
治療的処置に使用されることを特徴とする、請求項１４の医薬組成物。
【請求項１７】
少なくとも２つの異なる医薬組成物を含み、各医薬組成物が該免疫刺激物質の組合せの成分a)、b)、またはc)の少なくとも１つを含み、各成分が医薬上許容される量にて存在することを特徴とする、請求項１〜５のいずれかの免疫刺激物質の組合せを投与するためのキット。
【請求項１８】
請求項１〜７のいずれかの免疫刺激物質の組合せを含むことを特徴とする、C型肝炎ウイルスに対するワクチン。
【手続補正２】
【補正対象書類名】明細書
【補正対象項目名】００１０
【補正方法】変更
【補正の内容】
【００１０】
HCVの各種タンパク質の中で、コアおよびNS3は優れた免疫原性を示し、感染を克服した個体ではそれらに対する強力なCD8+ CTLおよびCD4+ HTL応答が検出される。それにもかかわらず、コアが免疫系の細胞に接触したときにそれらに対して有害な効果を有することを示すデータも存在し、そのためコアはワクチン法における抗原として推奨されない。一方、NS3はこのタイプの効果をほとんど示さないタンパク質であり、CD8+ CTLおよびCD4+ HTL応答の誘導のための抗原としてふさわしい候補でありうる。
この意味で、WO 2002/014362 A2 は、HCV感染の予防および治療のためのワクチンの製造におけるHCV NS3タンパク質の抗原としての使用を開示する。NS3は、アジュバントのリバビリンを伴っていてもよく、これは同じ医薬組成物中に存在しても、異なる医薬組成物中に存在してもよい。さらに、アジュバント投与は、抗原の投与と同時であっても、異なる時点であってもよい。
【手続補正３】
【補正対象書類名】明細書
【補正対象項目名】００１３
【補正方法】変更
【補正の内容】
【００１３】
つまり、例えば、Rouas et al. (International Immunology, May 2004, 16(5): 767-773) は、成熟樹状細胞を産生する医薬組成物における、CD40L、IFN-γ、およびTLR3の合成リガンドであるポリ(I:C)のインビトロでの使用を開示する。本文献は、ポリ(I:C)により成熟した樹状細胞のみがCD40Lによる刺激後にIL-12p70を分泌し、これはIFN-γによる成熟の際には起こらないことを示す。本文献はまた、CD40Lとポリ(I:C)の両方とともにインキュベートした場合の樹状細胞の成熟を開示する。成熟樹状細胞が分泌するIL-12はTh1リンパ球と細胞傷害性Tリンパ球の両方を活性化するので、成熟樹状細胞は免疫応答に非常に重要である。
さらに、US2004/0141950はTLRアンタゴニストおよび腫瘍壊死因子 (TNF) またはそのレセプター (TNFR)のスーパーファミリーの分子のアンタゴニストを含み、さらに抗原を含みうる免疫刺激物質の組合せについて記載する。多数の可能性ある組合せの中で、CD40のリガンド(抗CD40 抗体) とポリ(I:C)との組合せが提示され、この組合せはCD8+ T リンパ球の増殖において相乗効果を示す。同様に、Ahonen et al. (J. Exp. Med. 2004; 199: 775-784) は、CD4+ T リンパ球とは無関係に抗原特異的CD8+ CTLの増殖および分化を誘導するアゴニストの相乗的誘導能についてのデータを示す。これらの研究はTLR/CD40の抗原特異的メモリーCD8+ T リンパ球の活性化能について記載するが、TLR/CD40アゴニストの組合せがCD4+ HTL応答も高めることができるかについては確立できていない。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
ａ)式(Ｉ)のピリミジルアミノベンズアミド化合物；および
ｂ)少なくとも１種のファルネシルトランスフェラーゼ阻害剤
を含む、医薬組合せ物。
【請求項２】
薬剤ａ)が式(Ｉ)：
【化１】
2009511450.tif 000001
の４−メチル−３−[[４−(３−ピリジニル)−２−ピリミジニル]アミノ]−Ｎ−[５−(４−メチル−１Ｈ−イミダゾル−１−イル)−３−(トリフルオロメチル)フェニル]ベンズアミドおよびそれらの薬学的に許容される塩から選択される、請求項１に記載の医薬組合せ物。
【請求項３】
薬剤ｂ)がＬ−７４４８３２、ＤＫ８Ｇ５５７、Ｒ１１５７７７(ZARNESTRA)、ＳＣＨ６６３３６(LONAFARNIB)およびそれらの組合せから選択される、請求項２に記載の医薬組合せ物。
【請求項４】
増殖性疾患の処置または予防用薬剤の製造のための、請求項１に記載の医薬組合せ物の使用。
【請求項５】
疾患が白血病である、請求項４に記載の使用。
【請求項６】
疾患が慢性骨髄性白血病または急性リンパ性白血病である、請求項４に記載の使用。
【請求項７】
処置を必要とする対象における増殖性疾患を処置または予防する方法であって、該対象に、治療的有効量の少なくとも１種のファルネシルトランスフェラーゼ阻害剤および式(Ｉ)のピリミジルアミノベンズアミド化合物を、例えば、同時にまたは連続して、併用投与することを含む、方法。
【請求項８】
疾患が白血病である、請求項７に記載の方法。
【請求項９】
白血病の処置方法であって、ファルネシルトランスフェラーゼ阻害剤および４−メチル−３−[[４−(３−ピリジニル)−２−ピリミジニル]アミノ]−Ｎ−[５−(４−メチル−１Ｈ−イミダゾル−１−イル)−３−(トリフルオロメチル)フェニル]ベンズアミドの組合せを投与することを含む、方法。
【請求項１０】
白血病の処置方法であって、Ｌ−７４４８３２、ＤＫ８Ｇ５５７、Ｒ１１５７７７(ZARNESTRA)、ＳＣＨ６６３３６(LONAFARNIB)、およびそれらの組合せから選択されるファルネシルトランスフェラーゼ阻害剤および式(Ｉ)のピリミジルアミノベンズアミド化合物を投与することを含む、方法。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
少なくとも一層が、薬剤１Ｓ,９Ｓ（ＲＳ,３Ｓ）Ｎ−（２−エトキシ−５−オキソ−テトラフラン−３−イル）−６,１０−ジオキソ−９−（イソキノリン−１−オイルアミノ）−１,２,３,４,７,８,９,１０−オクタヒドロ−６−Ｈ−ピリダジノ［１,２−ａ］［１,２］ジアゼピン−１−カルボキシアミド及び／若しくはその塩若しくは誘導体並びに／又はその遊離酸を迅速に送達し、そして少なくとも一層が、薬剤１Ｓ,９Ｓ（ＲＳ,３Ｓ）Ｎ−（２−エトキシ−５−オキソ−テトラフラン−３−イル）−６,１０−ジオキソ−９−（イソキノリン−１−オイルアミノ）−１,２,３,４,７,８,９,１０−オクタヒドロ−６−Ｈ−ピリダジノ［１,２−ａ］［１,２］−ジアゼピン−１−カルボキシアミド及び／若しくはその塩若しくは誘導体並びに／又はその遊離酸を持続性様式で送達する、少なくとも二層からなる持続放出性錠剤。
【請求項２】
錠剤が二層からなり、そしてこれらが層形態又はコア及びシェルとして配置される、請求項１に記載の持続放出性錠剤。
【請求項３】
持続放出層が、コア−シェル配置のコアとして存在する、請求項１又は２に記載の持続放出性錠剤。
【請求項４】
両方の層が、少なくとも１つの増量剤、少なくとも１つの結合剤及び少なくとも１つの潤滑剤を含む、請求項１〜３のいずれか１項に記載の持続放出性錠剤。
【請求項５】
迅速送達層が、少なくとも１つの崩壊剤をさらに含む、請求項１〜４のいずれか１項に記載の持続放出性錠剤。
【請求項６】
持続放出層が、少なくとも１つのゲル形成剤を含む、請求項１〜４のいずれか１項に記載の持続放出性錠剤。
【請求項７】
薬剤の少なくとも６０％が３０分以内に錠剤から放出され、そして薬剤の少なくとも９０％が１８０分後に錠剤から放出される、請求項１〜６のいずれか１項に記載の持続放出性錠剤。
【請求項８】
自己免疫疾患、Ｉ型及びII型糖尿病、関節リウマチ、変形性関節症並びに／又は乾癬を処置するための請求項１〜７のいずれか１項に記載の持続放出性錠剤。